(57)【要約】【課題】  本発明はネズミ等の小動物が天敵と見間違えるため昼夜を問わず一度見ると二度とその範囲には近寄らない光学装置を得ることを目的とする。【解決手段】  機筐の外面に赤外線による動物感知センサを配設し、上記外面に開口した窓に凸レンズを装着し、上記窓の内部に該窓と中心線を共有する短円筒を配設し、該短円筒の内端面に光細分反射板を装着し、上記凸レンズと上記反射板との間に上記中心線部分に白、赤、黄、緑等の点滅ＬＥＤを配設し、かつ上記短円筒の内側面に内部照明電球を設け、上記点滅ＬＥＤによって上記反射板が白，赤、黄、緑又は青等に細分反射輝光し、上記輝光を上記窓の外側から凸レンズを通して見ることができる小動物撃退装置。【選択図】  図１
2006075151.tif 000002
【特許請求の範囲】
【請求項１】
機筐の外面に赤外線による動物感知センサを配設し、
上記外面に開口した窓に凸レンズを装着し、
上記窓の内部に短円筒を配設し、
該短円筒の内端面に光細分反射板を装着し、
上記凸レンズと上記反射板との間に白、赤、黄、緑等の点滅ＬＥＤを配設し、
かつ上記短円筒の内側面に内部照明電球を設け、
上記点滅ＬＥＤによって上記反射板が白，赤、黄、緑又は青等に細分反射輝光し、
上記輝光を上記窓の外側から凸レンズを通して見ることができる小動物撃退装置。
【請求項２】
光細分反射板が入射角及び又は反射角を異にする複数の光分散面を集合させてなる請求項１記載の小動物撃退装置。
【請求項３】
上記動物感知センサによって小動物を感知し、それによって上記点滅ＬＥＤを点滅し、かつ内部照明電球を点灯する請求項１又は２記載の小動物撃退装置。
【請求項４】
上記動物感知センサによって小動物を感知し、それによって音響装置を動作し、鈴音を発する請求項１〜３のいずれかに記載の小動物撃退装置。
【発明の詳細な説明】
【技術分野】
【０００１】
本発明はネズミ等の有害小動物を自動的に撃退する装置に関するものである。
【背景技術】
【０００２】
従来、ネズミ等の夜行性小動物を一定範囲例えば食品置場等から撃退する必要があった。
【０００３】
そのため複数の擦過音発生部をネズミ出没場所に設け、擦過音により撃退した（例えば特許公報１）。
又小動物の臭覚に訴える撃退方法があった（例えば特許公報２、３）。
【０００４】
さらに穀物、食品等の被包装物の包装装置に低周波の電磁波又は高周波の超音波をオンオフすることによりネズミを撃退する方法が開発されている（例えば特許公報４）。
【０００５】
しかし擦過音を聴覚に訴え或は臭覚に訴える撃退法ではネズミ等の小動物ばかりでなく人間に不快感を与えるばかりでなく、ネズミ等は聴覚及び臭覚に慣れて撃退されなくなるおそれがある。
【０００６】
又低周波の電磁波又は高周波の超音波による場合でも慣れて撃退効果が利かなくなり、かつ上記電磁波又は超音波の場を通過するおそれがあり、又包装装置以外の食品等の置場に利用することは困難であった。
【０００７】
【特許文献１】特開２００３−２５０４２７号
【特許文献２】特開２００３−１７１２６号
【特許文献３】特開平１１−１２１０５号
【特許文献４】特開２００２−３７０７２０号
【発明の開示】
【発明が解決しようとする課題】
【０００８】
本発明はネズミ等の小動物が天敵と見間違えるため昼夜を問わず一度見ると本能により二度とその範囲には近寄らない光学装置を得ることを目的とする。
【課題を解決するための手段】
【０００９】
上記の目的を達成するため本発明は
第１に機筐の外面に赤外線による動物感知センサを配設し、上記外面に開口した窓に凸レンズを装着し、上記窓の内部に短円筒を配設し、
該短円筒の内端面に光細分反射板を装着し、上記凸レンズと上記反射板との間に白、赤、黄、緑等の点滅ＬＥＤを配設し、かつ上記短円筒の内側面に内部照明電球を設け、上記点滅ＬＥＤによって上記反射板が白，赤、黄、緑又は青等に細分反射輝光し、上記輝光を上記窓の外側から凸レンズを通して見ることができる小動物撃退装置、
第２に光細分反射板が入射角及び又は反射角を異にする複数の光分散面を集合させてなる上記第１発明記載の小動物撃退装置、
第３に上記動物感知センサによって小動物を感知し、それによって上記点滅ＬＥＤを点滅し、かつ内部照明電球を点灯する上記第１又は第２発明記載の小動物撃退装置、
第４に上記動物感知センサによって小動物を感知し、それによって音響装置を動作し、鈴音を発する上記第１〜第３発明のいずれかに記載の小動物撃退装置、
によって構成される。
【００１０】
従って機筐を所要位置に床面や壁面に所定間隔毎に複数列設し、電源に接続する。
【００１１】
ネズミ等の小動物が機筐の一定範囲内を通過すると赤外線を通り、上記感知センサがこれを感知し、回路を閉じるから上記点滅ＬＥＤが点滅を開始し、同時に上記照明電球を点灯して上記短円筒内を照明し、音響装置を動作する。
その状態で上記ＬＥＤが白、赤、黄及び緑の光線を点滅し、該光線は上記反射板の複数（無数）の光分散面によって白、赤、黄、緑又は青等に細かく分割されて（細分されて）反射し輝光すると同時に鈴音を発する。
【００１２】
上記細分反射輝光は上記窓の凸レンズを透して外側から拡大されて観察され、
これをみたネズミ等の小動物は天敵であるへびの目と誤認し本能により驚いて退散する。イタチ、カラス等は上記へびの目と鈴音（威嚇音）とによって退散する。
【００１３】
上記センサの発する赤外線の射光範囲外に退散すると上記点滅ＬＥＤ及び照明電球は消灯し、上記細分反射輝光は消える。
【発明の効果】
【００１４】
本発明は上述のように構成したので白、赤、黄、緑又は青等が上記反射板によって細かく分割されて反射輝光し、それが凸レンズによって外側から拡大視認され、ネズミ等の小動物は天敵の眼光と誤認するから、本能により上記視認に慣れる恐れがなく２度と上記装置に近寄ることがないという効果がある。
【発明を実施するための最良の形態】
【００１５】
上下板９，１０の間に直立正面板１１、直立左右両側面板１２，１２を立設し、該側面板１２，１２の前端と上記正面板１１の両端との間に４５度傾斜板１３，１３を接続して機筐１を形成する（図３〜５）。
【００１６】
機筐１は横断面Ｕ字型、円形、Ｖ字型等でも良いが図３〜図５について説明すると、上記傾斜板１３，１３に小透孔１３’を穿設し、該小透孔１３’から赤外線による動物感知センサ２の発光部２’を外側に露出し、該発光部２’から赤外線が上下左右及び前方（外方）に向かって発光する。
【００１７】
上記正面板１１又は上記両側面板１２，１２には丸窓３を開口し、凸レンズ４を嵌合装着する。
【００１８】
丸窓３の内部には図１、図２に示すように短円筒５を配置し、その内端に不透明閉鎖板５”を一体に設け、
該閉鎖板５”の内面に光の細分反射板６を張設する。
【００１９】
上記反射板６は図２に示すよう細分された無数の光分散面６ａ，６ｂ，６ｃ，６ｄによって形成され、各光分散面６ａ，６ｂ，６ｃ，６ｄは白色光、赤色光、黄色光及び緑色光をそれぞれ反射する屈折角よりなり、全体として白色、赤色、黄色及び緑色に散りばめられたように輝く。
【００２０】
このようにした反射板６の中心部を通過する配線束９の先端に中心線ｃ上に白色ＬＥＤ７、その外周に近接して赤色、黄色、緑色の点滅ＬＥＤ７ａ，７ｂ，７ｃを直列に配置することによって白色ＬＥＤ７を点滅ＬＥＤとすることができ、上記配線束９の水平支持力によって上記ＬＥＤ７ａ，７ｂ，７ｃ，７ｄを上記凸レンズ４と上記反射板６と中間に中心線上に支持する。
【００２１】
又上記短円筒５の側板５’に透孔を穿設し、外側から透孔５”を経て内側面に内部照明電球８を着脱自在に挿入し、点灯によって凸レンズ４と上記反射板６との間の上記短円筒５内を照明する。
【００２２】
そこで電源スイッチ１４をＯＮすると上記センサ２から赤外線を発光する。
【００２３】
その状態で小動物例えばネズミが、範囲を過ぎると上記センサ２内のリレー２’がＯＮし、上記照明電球８を点灯し、短円筒５内を照明すると同時に上記電球８と並列に配線された上記白、赤、黄、緑のＬＥＤ７、７ａ，７ｂ，７ｃを点滅する。
【００２４】
この点滅によって上記反射板６の複数又は無数の光分散面６ａ，６ｂ，６ｃ，６ｄから上記各色の反射光が細分状態に同時に不規則に輝光点滅する。
【００２５】
したがってこれを見た上記ネズミは天敵である蛇の目の眼光と誤認し本能により退散し２度と上記赤外線範囲内に入るおそれはない。
【実施例１】
【００２６】
電源１５は一般家庭の１００Ｖ電源を使用し、上記センサ２による赤外線射範囲は上下左右５ｍの範囲であって、その範囲をネズミが過ぎるたび、リレー２’がＯＮし、上記照明電球８をＯＮし、上記ＬＥＤ７，７ａ，７ｂ，７ｃを点滅させる。
【００２７】
従って複数の機筐１の窓３を一定方向に向けて５ｍ以内の間隔に配列する。
【００２８】
３０日のテストでネズミについて効果９５％以上、イタチでは５０〜７０％であった。従ってイタチ、カラスについては音響装置による鈴音を補足する必要がある。
【００２９】
上記音響装置２２は下板１０上に設けた支持台２０上に設けられ、上記センサ２のリレー２’がＯＮすることによって支持台２０上のコンバータ１６を動作し、小型モータ１７を回動し、回動軸１８に設けたプロペラ（回転棒）１９を回動（５４００ｒｐｍ）し、これにより腕板２３に懸垂した懸垂鈴２１を揺動又は振動させて鈴音（チャリン音）を発する。上記ネズミは勿論、イタチ又はカラスも上記蛇の目の眼光及び鈴音とによって退散した。尚図１２中２１’は懸垂鈴２１中の遊動玉、２１”は懸垂鈴２１に形成した放音溝である。
【産業上の利用可能性】
【００３０】
上記実施形態及び実施例によってネズミやイタチ等の小動物の出没する地域に複数の上記装置を赤外線による動物感知センサ２の感知範囲に配置することによって上記小動物が上記凸レンズ４から上記細分反射輝光を見て本能的に危険を感知し、さらに鈴音に驚いて２度と近寄ることがない。
【図面の簡単な説明】
【００３１】
【図１】本発明の小動物撃退装置を示す縦断側面図である。
【図２】図１Ａ−Ａ線による正面図である。
【図３】上記装置の全体斜視図である。
【図４】図３の正面図である。
【図５】図４の横断平面図である。
【図６】図３の背面図である。
【図７】本発明の要部のブロック図である。
【図８】凸レンズの外側から上記反射板の輝光状態を見た図である。
【図９】音響装置を備えた機筐内部の平面図である。
【図１０】図９の背面図である。
【図１１】音響装置の拡大平面図である。
【図１２】図１１の側面図である。
【符号の説明】
【００３２】
１        機筐
２        動物感知センサ
３        窓
４        凸レンズ
５        短円筒
６        反射板
７        白色点滅ＬＥＤ
７ａ      赤色点滅ＬＥＤ
７ｂ      黄色点滅ＬＥＤ
７ｃ      緑色点滅ＬＥＤ
８        内部照明電球
【図１】
2006075151.tif 000003
【図２】
2006075151.tif 000004
【図３】
2006075151.tif 000005
【図４】
2006075151.tif 000006
【図５】
2006075151.tif 000007
【図６】
2006075151.tif 000008
【図７】
2006075151.tif 000009
【図８】
2006075151.tif 000010
【図９】
2006075151.tif 000011
【図１０】
2006075151.tif 000012
【図１１】
2006075151.tif 000013
【図１２】
2006075151.tif 000014